【手続補正書】
【提出日】平成23年12月26日(2011.12.26)
【手続補正１】
【補正対象書類名】特許請求の範囲
【補正対象項目名】全文
【補正方法】変更
【補正の内容】
【特許請求の範囲】
【請求項１】
現像剤を収容した現像剤収容容器の内部に回転自在に配置される回転軸部と、
前記回転軸部に螺旋状に形成されて軸方向に前記現像剤を搬送する搬送部と、
前記搬送部の搬送方向下流側であって、前記現像剤収容容器の現像剤排出口に対応した位置に配置された現像剤排出部と、
を備え、
前記現像剤排出部は、前記搬送部の下流側の端部と連結し、前記周方向に沿って回転  することにより、収容した現像剤を前記現像剤排出口へ排出することを特徴とする現像  剤搬送部材。
【請求項２】
現像剤を収容した現像剤収容容器の内部に回転自在に配置される回転軸部と、
前記回転軸部に螺旋状に形成されて軸方向に前記現像剤を搬送する搬送部と、
前記搬送部の搬送方向下流側であって、前記現像剤収容容器の現像剤排出口に対応した位置に配置された現像剤排出部と、
を備え、
前記現像剤排出口は、弾性変形する弾性部材によって構成され、
前記現像剤排出部は、回転することにより、前記弾性部材を変形及び復帰させること を特徴とする現像剤搬送部材。
【請求項３】
前記現像剤排出部は、前記搬送部によって搬送された現像剤を収容し、内部に収容し た状態で前記周方向に沿った状態で回転することにより、収容した現像剤を前記現像剤 排出口へ排出することを特徴とする請求項１又は２に記載の現像剤搬送部材。
【請求項４】
前記現像剤排出部を軸方向から見た外形は、扇形状であることを特徴とする請求項１ 乃至３のいずれかに記載の現像剤搬送部材。
【請求項５】
前記現像剤排出部は、前記現像剤収容容器の現像剤排出口を閉塞可能に構成されてい ることを特徴とする請求項１乃至４のいずれかに記載の現像剤搬送部材。
【請求項６】
前記現像剤排出部の周方向に沿った位置を外部から確認する確認手段を備えているこ  とを特徴とする請求項１乃至５のいずれかに記載の現像剤搬送部材。
【請求項７】
前記搬送部の搬送方向に沿った上流側の端部には、前記現像剤収容容器の内部に収容  された現像剤を撹拌する平板状の撹拌部を備えていることを特徴とする請求項１乃至６  のいずれかに記載の現像剤搬送部材。
【請求項８】
前記搬送部の下流側の端部と前記現像剤排出部とが連結していることを特徴とする請 求項２に記載の現像剤搬送部材。
【請求項９】
内部に現像剤を収容した現像剤収容部と、
前記現像剤収容部の内部に回転可能に配置され、当該現像剤収容部に収容された現像  剤を攪拌しつつ排出口へと搬送する現像剤搬送部材として、請求項１乃至８のいずれか  に記載された現像剤搬送部材を用いたことを特徴とする現像剤収容容器。
【請求項１０】
画像情報に応じた静電潜像が形成される像保持体と、
前記像保持体上に形成された静電現像を現像する手段であって、現像剤を表面に保持  した現像剤保持体が回転可能に配置された現像装置本体と、
前記現像装置本体に供給する現像剤を収容する現像剤収容容器とを備え、
前記現像剤収容容器として前記請求項９に記載の現像剤収容容器を用いたことを特徴  とする画像形成装置。
【手続補正２】
【補正対象書類名】明細書
【補正対象項目名】０００８
【補正方法】変更
【補正の内容】
【０００８】
すなわち、請求項１に記載された発明は、現像剤を収容した現像剤収容容器の内部に回転自在に配置される回転軸部と、
前記回転軸部に螺旋状に形成されて軸方向に前記現像剤を搬送する搬送部と、
前記搬送部の搬送方向下流側であって、前記現像剤収容容器の現像剤排出口に対応した位置に配置された現像剤排出部と、
を備え、
前記現像剤排出部は、前記搬送部の下流側の端部と連結し、前記周方向に沿って回転  することにより、収容した現像剤を前記現像剤排出口へ排出することを特徴とする現像  剤搬送部材である。
【手続補正３】
【補正対象書類名】明細書
【補正対象項目名】０００９
【補正方法】変更
【補正の内容】
【０００９】
また、請求項２に記載された発明は、現像剤を収容した現像剤収容容器の内部に回転自在に配置される回転軸部と、
前記回転軸部に螺旋状に形成されて軸方向に前記現像剤を搬送する搬送部と、
前記搬送部の搬送方向下流側であって、前記現像剤収容容器の現像剤排出口に対応した位置に配置された現像剤排出部と、
を備え、
前記現像剤排出口は、弾性変形する弾性部材によって構成され、
前記現像剤排出部は、回転することにより、前記弾性部材を変形及び復帰させること を特徴とする現像剤搬送部材である。
【手続補正４】
【補正対象書類名】明細書
【補正対象項目名】００１０
【補正方法】変更
【補正の内容】
【００１０】
さらに、請求項３に記載された発明は、前記現像剤排出部は、前記搬送部によって搬送された現像剤を収容し、内部に収容した状態で前記周方向に沿った状態で回転することにより、収容した現像剤を前記現像剤排出口へ排出することを特徴とする請求項１又は２に記載の現像剤搬送部材である
【手続補正５】
【補正対象書類名】明細書
【補正対象項目名】００１１
【補正方法】変更
【補正の内容】
【００１１】
又、請求項４に記載された発明は、前記現像剤排出部を軸方向から見た外形は、扇形状であることを特徴とする請求項１乃至３のいずれかに記載の現像剤搬送部材である。
【手続補正６】
【補正対象書類名】明細書
【補正対象項目名】００１２
【補正方法】変更
【補正の内容】
【００１２】
更に、請求項５に記載された発明は、前記現像剤排出部は、前記現像剤収容容器の現像剤排出口を閉塞可能に構成されていることを特徴とする請求項１乃至４のいずれかに記載の現像剤搬送部材である。
【手続補正７】
【補正対象書類名】明細書
【補正対象項目名】００１３
【補正方法】変更
【補正の内容】
【００１３】
また、請求項６に記載された発明は、前記現像剤排出部の周方向に沿った位置を外部から確認する確認手段を備えていることを特徴とする請求項１乃至５のいずれかに記載の現像剤搬送部材である。
請求項７に記載された発明は、前記搬送部の搬送方向に沿った上流側の端部には、前 記現像剤収容容器の内部に収容された現像剤を撹拌する平板状の撹拌部を備えているこ とを特徴とする請求項１乃至６のいずれかに記載の現像剤搬送部材である。
請求項８に記載された発明は、前記搬送部の下流側の端部と前記現像剤排出部とが連 結していることを特徴とする請求項２に記載の現像剤搬送部材である。
【手続補正８】
【補正対象書類名】明細書
【補正対象項目名】００１４
【補正方法】変更
【補正の内容】
【００１４】
さらに、請求項９に記載された発明は、内部に現像剤を収容した現像剤収容部と、
前記現像剤収容部の内部に回転可能に配置され、当該現像剤収容部に収容された現像剤を攪拌しつつ排出口へと搬送する現像剤搬送部材として、請求項１乃至８のいずれかに記載された現像剤搬送部材を用いたことを特徴とする現像剤収容容器である。
【手続補正９】
【補正対象書類名】明細書
【補正対象項目名】００１５
【補正方法】変更
【補正の内容】
【００１５】
又、請求項１０に記載された発明は、画像情報に応じた静電潜像が形成される像保持体と、
前記像保持体上に形成された静電現像を現像する手段であって、現像剤を表面に保持  した現像剤保持体が回転可能に配置された現像装置本体と、
前記現像装置本体に供給する現像剤を収容する現像剤収容容器とを備え、
前記現像剤収容容器として前記請求項９に記載の現像剤収容容器を用いたことを特徴  とする画像形成装置である。
【手続補正１０】
【補正対象書類名】明細書
【補正対象項目名】００１６
【補正方法】変更
【補正の内容】
【００１６】
請求項１及び２に記載された発明によれば、現像剤収容容器の内部に収容された現像剤を現像剤排出口へ安定して搬送することができる。
【手続補正１１】
【補正対象書類名】明細書
【補正対象項目名】００１７
【補正方法】変更
【補正の内容】
【００１７】
また、請求項３及び４に記載された発明によれば、搬送部によって搬送された現像剤を効率良く現像剤排出口から排出することができる。
【手続補正１２】
【補正対象書類名】明細書
【補正対象項目名】００１８
【補正方法】変更
【補正の内容】
【００１８】
さらに、請求項５に記載された発明によれば、部品点数を増加させることなく、現像剤搬送部材によって現像剤収容容器の現像剤排出口を閉塞することができる。
【手続補正１３】
【補正対象書類名】明細書
【補正対象項目名】００１９
【補正方法】変更
【補正の内容】
【００１９】
又、請求項６に記載された発明によれば、現像剤排出部の周方向に沿った位置の確認を容易に行うことができる。
【手続補正１４】
【補正対象書類名】明細書
【補正対象項目名】００２０
【補正方法】変更
【補正の内容】
【００２０】
更に、請求項７に記載された発明によれば、現像剤収容容器の現像剤排出口に現像剤が詰まること防止できる。
【手続補正１５】
【補正対象書類名】明細書
【補正対象項目名】００２１
【補正方法】変更
【補正の内容】
【００２１】
また、請求項８に記載された発明によれば、現像剤に凝集が発生している場合であっても確実に搬送することができる。
【手続補正１６】
【補正対象書類名】明細書
【補正対象項目名】００２２
【補正方法】変更
【補正の内容】
【００２２】
さらに、請求項９に記載された発明によれば、現像剤収容容器の内部に収容された現像剤を現像剤排出口へ安定して搬送することができる。
【手続補正１７】
【補正対象書類名】明細書
【補正対象項目名】００２３
【補正方法】変更
【補正の内容】
【００２３】
又、請求項１０に記載された発明によれば、現像剤収容容器から現像装置本体へ現像剤を安定して供給することができ、画像品質を良好に維持することができる。